【事件の表示】
　特許第５８４１８６１号発明「テレビドアホンシステムの玄関子機」の特許異議申立事件について、次のとおり決定する。
【結　論】
　特許第５８４１８６１号の明細書及び特許請求の範囲を訂正請求書に添付された訂正明細書及び特許請求の範囲のとおり、訂正後の請求項１、２について訂正することを認める。
　特許第５８４１８６１号の請求項１に係る特許を維持する。
　特許第５８４１８６１号の請求項２に係る特許についての特許異議申立てを却下する。
【理　由】
１　手続の経緯
　特許第５８４１８６１号の請求項１及び２に係る特許についての出願は、平成２４年２月２８日に特許出願され、平成２７年１１月２０日にその特許権の設定登録がされ、その後、その特許について、特許異議申立人伊藤次郎により特許異議の申立てがされ、平成２８年８月３０日付けで取消理由が通知され、平成２８年１０月２５日に意見書の提出があり、平成２８年１１月１０日付けで取消理由通知（決定の予告）がされ、平成２９年１月１２日に意見書の提出及び訂正の請求があり、その訂正の請求に対して特許異議申立人伊藤次郎に意見を求めたが、意見書は提出されなかった。
　　
２　訂正の適否についての判断
（１）訂正の内容
　本件訂正請求による訂正の内容は以下のア、イのとおりである。
ア　請求項１に係る訂正
（ア）訂正事項１
　特許請求の範囲の請求項１の記載「前記密着片は円盤状に形成されて周囲側部に周期的な凹凸を有する」を、
　「前記ケースのカメラ窓の裏面には環状突起が形成されて成ると共に、前記密着片は前記レンズ鏡枠の露出する先端の外径より大きい円盤状の板体であって、周囲側部に周期的な凹凸を有し、
前記弾性部材が前記密着片の前面に配置されて、前記環状突起が前記弾性部材に密着して前記防水構造が形成される」と訂正する。
（イ）訂正事項２
　願書に添付した明細書の段落【０００７】に記載された「密着片は円盤状に形成されて周囲側部に周期的な凹凸を有する」とあるのを、「ケースのカメラ窓の裏面には環状突起が形成されて成ると共に、密着片はレンズ鏡枠の露出する先端の外径より大きい円盤状の板体であって、周囲側部に周期的な凹凸を有し、弾性が形成される」に訂正する。
　　
イ　請求項２に係る訂正
（ア）訂正事項３
　特許請求の範囲の請求項２を削除する。
（イ）訂正事項４
　願書に添付した明細書の段落【００１０】を削除する。
　　
（２）訂正の目的の適否、一群の請求項、新規事項の有無、及び特許請求の範囲の拡張・変更の存否
ア　請求項１に係る訂正
　明細書の発明の詳細な説明の段落【００１６】には「密着片１３ｂは板状に形成され、この前面にリング状の弾性部材１８を配置してケース６の背部に密着させることで、開口されたカメラ窓１７が気密封止される。尚、ケース６のカメラ窓１７の裏面には、後方に突出した環状突起１９が形成され、弾性部材１８の密着を確実なものにしている。」と記載され、段落【００１７】には、「密着片１３ｂの径Ｗ２はレンズ鏡枠１３のケース６から露出する先端径Ｗ１に対して大きな径で形成され、」と記載され、図３、図４を参酌すると、「前記ケースのカメラ窓の裏面には環状突起が形成されて成ると共に、前記密着片は前記レンズ鏡枠の露出する先端の外径より大きい円盤状の板体であって、周囲側部に周期的な凹凸を有し、前記弾性部材が前記密着片の前面に配置されて、前記環状突起が前記弾性部材に密着して前記防水構造が形成される」ことは、明細書に記載されているものと認められる。
　また、訂正事項２は、訂正事項１に伴う願書に添付した明細書の訂正であるから、訂正事項１と同様に明細書に記載されているものと認められる。
　訂正事項１の訂正は、明細書に記載された事項の範囲内において「密着片」、「ケース」を限定したものといえるから、特許請求の範囲の減縮を目的とするものであって、新規事項の追加に該当せず、また、実質上特許請求の範囲を拡張し、又は変更するものではない。また、訂正事項２の訂正は、訂正事項１に伴う願書に添付した明細書の訂正であるから、明瞭でない記載の釈明を目的とするものであって、新規事項の追加に該当せず、また、実質上特許請求の範囲を拡張し、又は変更するものではない。
　　
イ　請求項２に係る訂正
　訂正事項３は、特許請求の範囲の減縮を目的とし、新規事項の追加に該当せず、また、実質上特許請求の範囲を拡張し、又は変更するものではない。
　また、訂正事項４は、訂正事項３に伴う願書に添付した明細書の訂正であるから、明瞭でない記載の釈明を目的とするものであって、新規事項の追加に該当せず、また、実質上特許請求の範囲を拡張し、又は変更するものではない。
　　
ウ　そして、これら訂正は一群の請求項に対して請求されたものである。
　　
（３）小括
　以上のとおりであるから、本件訂正請求による訂正は特許法第１２０条の５第２項第１号及び第３号に掲げる事項を目的とするものであり、かつ、同条第４項、及び、同条第９項において準用する同法第１２６条第４項から第６項までの規定に適合するので、訂正後の請求項１、２について訂正を認める。
　　
３　特許異議の申立てについて
（１）本件発明
　本件訂正請求により訂正された訂正請求項１（以下「本件発明１」という。）は、その特許請求の範囲の請求項１に記載された次の事項により特定されるとおりのものである。ただし、（Ａ）〜（Ｈ）は当審で付与した。以下各構成要件を「構成要件Ａ」等という。
　　
（本件発明１）
（Ａ）居住者を呼び出すための呼出ボタンと、来訪者を撮像するカメラとを有し、呼出操作を受けたら住戸内に設置されている居室親機に対して呼出信号を伝送すると共に、前記カメラの撮像映像を伝送するテレビドアホンシステムの玄関子機であって、
（Ｂ）前記カメラのレンズユニットは、画角１８０度以上の広角なエリアを撮像する複数のレンズから成る広角レンズ群と、前記広角レンズ群を支持するレンズ鏡枠と、前記レンズ鏡枠を玄関子機のケースに支持するためのレンズホルダとで構成され、
（Ｃ）前記広角レンズ群の最前部に配置されたレンズは、レンズカバーを兼ねて前記ケースのカメラ窓から露出して配置されると共に、
（Ｄ）前記レンズ鏡枠が前記カメラ窓周囲のケースとの間で弾性部材を介して防水構造を形成するための密着片を備え、
（Ｅ）更に前記レンズ鏡枠と前記レンズホルダとは、相互にネジ溝を有して螺合により連結される一方、
（Ｆ）前記ケースのカメラ窓の裏面には環状突起が形成されて成ると共に、前記密着片は前記レンズ鏡枠の露出する先端の外径より大きい円盤状の板体であって、周囲側部に周期的な凹凸を有し、
（Ｇ）前記弾性部材が前記密着片の前面に配置されて、前記環状突起が前記弾性部材に密着して前記防水構造が形成されることを特徴とする
（Ｈ）テレビドアホンシステムの玄関子機。
（２）取消理由の概要
　訂正前の請求項１及び２に係る特許に対して平成２８年１１月１０日付けで特許権者に通知した取消理由（決定の予告）の要旨は、次のとおりである。
　請求項１、２に係る発明は、甲第１号証に記載された発明、甲第２号証に記載された発明及び周知技術に基づき、容易に発明をすることができたものであるから、特許法第２９条第２項の規定により特許を受けることができないものであり、請求項１、２に係る特許は、取り消されるべきものである。
（３）甲号証の記載
ア　甲第１号証
　甲第１号証（特開２０１０−９３６４８号公報）には、「インターホン装置の玄関子機」（発明の名称）に関し、図面と共に次に掲げる事項が記載されている（下線は当審が付与した。）。
　　
「【請求項１】
来訪者が居住者を呼び出して通話する機能を有すると共に、来訪者を撮像するためのカメラを備えたインターホン装置の玄関子機
前記カメラの本体は玄関子機ケース内に配置され、左右１８０度の広角撮像を実施しても玄関子機ケースの前面が写り込むことがないよう、前記カメラのレンズ先端が、前記玄関子機ケースの前面より所定量突出して配置されて成ることを特徴とするインターホン装置の玄関子機。」
　　
「【０００１】
　
本発明はインターホン装置の玄関子機に関し、特に広角カメラを組み込んだ玄関子機に関する
　　
「【０００６】
　そこで、
カメラに広角カメラを使用して、来訪者の立ち位置によらず、またパン／チルト操作することなく、来訪者を常に撮像可能とする構成が考えられるが、来訪者の立ち位置によらず確実に来訪者を撮像可能とする為には、１８０°近い画角（１８０°近い左右方向まで撮像できるもの）が必要となる
　　
「【００１３】
　本発明によれば、画角が略１８０°の超広角カメラを搭載しても、玄関子機ケースが映り込むことを無くすことができる。よって、
カメラの機能を発揮させて居室親機のモニタに確実に来訪者映像を表示させることができる
　　
「【００１４】
　以下、本発明を具体化した実施の形態を、図面に基づいて詳細に説明する。図１〜図３は、本発明に係る玄関子機の一例を示し、図１はカメラカバーを分離した状態の斜視図、図２は側面図、図３はカメラカバーを装着した部分斜視図である。各図において、１は玄関子機ケース、
２は居住者を呼び出すための呼出ボタン
　　
「【００１７】
　一方、図５は図２に示すＡ−Ａ線断面説明図であり、（ａ）は玄関子機全体、（ｂ）はＥ部拡大図である。
６ａはカメラ６のレンズ、６ｂはカメラ本体であり
　
カメラ本体６ｂは玄関子機ケース１内に収容され
　　
「【００１９】
　
本発明の玄関子機に組み込まれるカメラ６は、中心線Ｍから９０°方向まで撮像できる１８０°カメラを考えている
　　
「【００２４】
　このように、カメラカバーを上述した形状とすることで、カメラ正面から１００°の方向から光が入射された場合でも、玄関子機ケースが映り込むことがない。従って、
画角が略１８０°の超広角カメラを搭載
　また、従来の玄関子機の構成に対して、カメラのレンズを前方に突出させるだけの僅かな変更で本発明を構成することが可能であり、既存の玄関子機の部材を使用して構成でき、コストの上昇を抑えることができる。」
　　
「【図５】
」
　　
　甲第１号証には、「インターホン装置の玄関子機」が記載されており、この「インターホン装置の玄関子機」を甲第１号証に記載された発明（以下「甲１発明」という。）として認定する。甲１発明は以下の構成を有する。
・居住者を呼び出すための呼出ボタン（段落【００１４】）
・来訪者を撮像するためのカメラ（【請求項１】、段落【００１７】）
・来訪者が居住者を呼び出して通話する機能を有する（【請求項１】）
・カメラの機能を発揮させて居室親機のモニタに確実に来訪者映像を表示させる（段落【００１３】）
・画角が１８０°の広角レンズ（段落【０００６】、【００１９】、【００２４】）
・レンズを支持するレンズ鏡枠（図５（ｂ）より、レンズ６ａの周囲にレンズ６ａを支持するレンズ鏡枠（レンズ６ａに接した右上から左下の斜線によりハッチングされた部材）があると認められる。）
・レンズ鏡枠を玄関子機ケースに支持する（図５（ａ）より、レンズ鏡枠は玄関ケースに支持されていると認められる。）　
　　
　以上まとめると、甲１発明は、次のとおりである。
　　
（甲１発明）
（ａ）居住者を呼び出すための呼出ボタンと、来訪者を撮像するためのカメラと、来訪者が居住者を呼び出して通話する機能を有し、カメラの機能を発揮させて居室親機のモニタに確実に来訪者映像を表示させるインターホン装置の玄関子機であって、
（ｂ）画角が１８０°の広角レンズと、レンズを支持するレンズ鏡枠があり、
（ｃ）レンズ鏡枠を玄関子機ケースに支持する
（ｄ）ことを特徴とするインターホン装置の玄関子機
　　
　なお、（ａ）〜（ｄ）は、構成を識別するために付与した。以下各構成を「構成ａ」等という。
　　
イ　甲第２号証
　甲第２号証（特開２００９−２１６７７４号公報）には、「光学部品及び撮像ユニット」（発明の名称）に関し、図面と共に次に掲げる事項が記載されている（下線は当審が付与した。）。
　　
「【００１８】
　撮像ユニット１００は、図１に示すように、
基板Ｐに実装されている撮像素子５
撮像素子５に被写体光を導くレンズ群をなす第一レンズ１と第二レンズ２と第三レンズ３
各レンズを所定の配置に支持する支持部材４
撮像素子５及び支持部材４を覆うケース体としての外枠部材３０
　この
撮像ユニット１００は、例えば、車載用カメラとして車両や、監視カメラ用として監視装置など、各種機器に組み付けられるものである
【００１９】
　
撮像素子５は
基板Ｐの上面に取り付けられ
　また、
基板Ｐは固定部材８に固定されており
　なお、
固定部材８と外枠部材３０の間には弾性部材３５が介在しており、基板Ｐや撮像素子５が外枠部材３０に安定して支持されるようになっている
【００２０】
　
支持部材４
略円筒形状
【００２１】
　
レンズ群は、被写体側となる最前部に位置する第一レンズ１と、撮像素子５側に位置する第三レンズ３と、第一レンズ１と第三レンズ３の間に位置する第二レンズ２と、からなる広角レンズ群
　なお、第一レンズ１は、広角レンズ群の最前列に位置する負レンズまたは物体側凸形状のメニスカスレンズである。」
　　
「【００２７】
　なお、支持部材４に第一レンズ１と第二レンズ２と第三レンズ３とが固定されて、レンズユニット２０が構成されている。
　そして、レンズユニット２０における
支持部材４の下部側の外周面が固定部材８に螺着されており、その支持部材４を固定部材８に螺入する程度を調整するように、レンズユニット２０と基板Ｐとの距離を調節することによって、撮像素子５に対するレンズの位置合わせを行うことが可能になっている
　【００２８】
　
外枠部材３０は、前ケース体３１と後ケース体３２とからなり
前ケース体３１の前方開口部３１ａから第一レンズ１が露出するようにレンズユニット２０が配設され
前ケース体３１の内周面と支持部材４の外周面との間にはゴムパッキン３３が備えられ
　この外枠部材３０が光学部品２２（レンズユニット２０）を内部に収容することで、撮像ユニット１００が構成される。」
　　
「【図１】
」
　　
　甲第２号証に記載された監視カメラ用撮像ユニット（段落【００１８】）は、次の構成を備えていると認められる（当該監視カメラ用撮像ユニットを以下「甲２発明」という。）。
・複数のレンズからなる広角レンズ群（段落【００２１】）と複数のレンズを支持する略円筒形状の支持部材４（段落【００１８】、【００２０】）とからなるレンズユニット（段落【００２７】）
・撮像素子５が実装された基板Ｐが固定された固定部材８（段落【００１８】、【００１９】）
・前ケース体３１と後ケース体３２からなる外枠部材３０（段落【００１８】、【００２８】）
・固定部材８は外枠部材３０に支持される（段落【００１９】）
・支持部材４と固定部材８とが調整可能に螺合すること（段落【００２７】）
・前ケース体３１の前方開口部から第一レンズが露出するようにレンズユニットを配設（段落【００２８】）
・前ケース体３１の内周面と支持部材４の外周面との間にはゴムパッキン３３が備えられる（段落【００２８】）
・ゴムパッキン３３が設けられている支持部材の部分は、円盤状の鍔部分であり、該鍔部分は支持部材４の先端の外形より大きい（図１、支持部材は略円筒形状（段落【００２０】であるから、鍔部分は円盤状であると認められる。）
　　
　以上まとめると、甲２発明は、次のとおりである。
　　
（甲２発明）
　複数のレンズからなる広角レンズ群と複数のレンズを支持する略円筒形状の支持部材とからなるレンズユニットと、
　撮像素子が実装された基板が固定された固定部材と、
　前ケース体と後ケース体からなる外枠部材とを備え、
　固定部材は外枠部材に支持され、
　支持部材と固定部材とが調整可能に螺合し、
　前ケース体の前方開口部から第一レンズが露出するようにレンズユニットを配設し、
　前ケース体の内周面と支持部材の外周面との間にはゴムパッキンが備えられ、
　ゴムパッキンが設けられている支持部材の部分は、円盤状の鍔部分であり、該鍔部分は支持部材４の先端の外形より大きい
　監視カメラ用撮像ユニット
　　
ウ　甲第３号証
　甲第３号証（特開平１０−１３７１８２号公報）には、結像レンズ群２５が収納されたレンズ枠３５を固定したレンズ枠支持筒４０が、バヨネットマウント２１の中央部分に形成されたネジ部に螺合されて取り付けられ（段落【００２０】、【００２１】）、レンズ枠支持筒４０の鍔部の外周部に形成されたローレットに工具等を係合させてレンズ枠支持筒４０を回転させてフォーカス調整する（段落【００２２】）ことが記載されている。すなわち、『レンズ群を固定したレンズ枠支持筒を固定部（バヨネットマウントの中央部分）に螺合させ調整を行う構成において、レンズ枠支持筒の鍔部にローレットを設ける技術』が開示されている。
　　
エ　甲第６号証
　甲第６号証（特開２００４−３５７１０２号公報）には、ローレットの溝として、段落【０００６】に示される形状（周期的な凹凸）を設ける技術、すなわち、『ローレットの溝として、周期的な凹凸を設ける技術』が開示されている。
　　
（４）対比・判断
ア　対比
　本件発明１と甲１発明とを対比する。
（ア）構成要件Ａと構成ａとを対比する。
　甲１発明の「居住者を呼び出すための呼出ボタン」、「来訪者を撮像するためのカメラ」は、本件発明１の「居住者を呼び出すための呼出ボタン」、「来訪者を撮像するためのカメラ」に一致する。甲１発明の「インターホン装置の玄関子機」は、「カメラの機能を発揮させて居室親機のモニタに確実に来訪者映像を表示させ」ており、映像を用いたインターホン装置の玄関子機であるから、本件発明１の「テレビドアホンシステムの玄関子機」に相当する。
　甲１発明は、「来訪者が居住者を呼び出して通話する機能を有し」ているから、「呼出操作を受けたら住戸内に設置されている居室親機に対して呼出信号を伝送する」といえ、この点で本件発明１と一致する。
　また、甲１発明は、「カメラの機能を発揮させて居室親機のモニタに確実に来訪者映像を表示させる」から、「カメラの撮像映像を伝送する」といえ、この点で本件発明１と一致する。
　したがって、本件発明１と甲１発明とは、「居住者を呼び出すための呼出ボタンと、来訪者を撮像するカメラとを有し、呼出操作を受けたら住戸内に設置されている居室親機に対して呼出信号を伝送すると共に、前記カメラの撮像映像を伝送するテレビドアホンシステムの玄関子機」として、一致する。
　　
（イ）構成要件Ｂ、Ｃと構成ｂ、ｃとを対比する。
　甲１発明の「画角が１８０°の広角レンズ」は、「画角１８０度以上の広角なエリアを撮像する広角レンズ」といえるから、本件発明１と甲１発明とは、「カメラのレンズユニット」が「画角１８０度以上の広角なエリアを撮像する広角レンズ」で構成されている点で共通する。しかしながら、「広角レンズ」が、本件発明１においては「複数のレンズから成る広角レンズ群」であるのに対し、甲１発明においては、「複数のレンズから成る広角レンズ群」でない点で相違し、それに伴い、「レンズ鏡枠」が、本件発明１においては、前記広角レンズ群を支持するのに対し、甲１発明においては、前記広角レンズ群を支持するものではない点で相違する。
　さらに、甲１発明においては、「前記広角レンズ群の最前部に配置されたレンズは、レンズカバーを兼ねて前記ケースのカメラ窓から露出して配置される」ものではなく、本件発明１と相違する。
　ここで、広角レンズを玄関子機のケースに支持するにあたり、甲１発明では、広角レンズを支持するレンズ鏡枠をケースに支持していることから、広角レンズとレンズ鏡枠が「カメラのレンズユニット」を構成しているといえるのに対して、本件発明１では、広角レンズを支持するレンズ鏡枠をレンズホルダで支持した上でケースに支持していることから、広角レンズとレンズ鏡枠とレンズホルダが「カメラのレンズユニット」を構成しているといえる。
　以上のように、甲１発明と本件発明１は、広角レンズとレンズ鏡枠とで構成されたレンズユニットを有する点で共通するが、本件発明１のレンズユニットがレンズホルダを更に有している点で相違する。
　　
（ウ）構成要件Ｄ、Ｅ、Ｆ、Ｇについて
　甲１発明は、構成Ｄ、Ｅ、Ｆ、Ｇを備えていない。
　したがって、本件発明１は、「前記レンズ鏡枠が前記カメラ窓周囲のケースとの間で弾性部材を介して防水構造を形成するための密着片を備え」ているのに対し、甲１発明は、「前記レンズ鏡枠が前記カメラ窓周囲のケースとの間で弾性部材を介して防水構造を形成するための密着片を備え」ていない点で相違し、
　本件発明１においては、「前記レンズ鏡枠と前記レンズホルダとは、相互にネジ溝を有して螺合により連結される一方、前記ケースのカメラ窓の裏面には環状突起が形成されて成ると共に、前記密着片は前記レンズ鏡枠の露出する先端の外径より大きい円盤状の板体であって、周囲側部に周期的な凹凸を有し、前記弾性部材が前記密着片の前面に配置されて、前記環状突起が前記弾性部材に密着して前記防水構造が形成される」のに対し、甲１発明においては、「前記レンズ鏡枠と前記レンズホルダとは、相互にネジ溝を有して螺合により連結される一方、前記ケースのカメラ窓の裏面には環状突起が形成されて成ると共に、前記密着片は前記レンズ鏡枠の露出する先端の外径より大きい円盤状の板体であって、周囲側部に周期的な凹凸を有し、前記弾性部材が前記密着片の前面に配置されて、前記環状突起が前記弾性部材に密着して前記防水構造が形成される」ものでない点で相違する。
　　
（エ）構成要件Ｈと構成ｄとを対比する。
　上記（ア）のとおり、本件発明１と甲１発明とは、「テレビドアホンシステムの玄関子機」として一致する。
　　
（オ）以上まとめると、本件発明１と甲１発明との一致点、相違点は次のとおりである。
　　
（一致点）
　居住者を呼び出すための呼出ボタンと、来訪者を撮像するカメラとを有し、呼出操作を受けたら住戸内に設置されている居室親機に対して呼出信号を伝送すると共に、前記カメラの撮像映像を伝送するテレビドアホンシステムの玄関子機であって、
　前記カメラのレンズユニットは、画角１８０度以上の広角なエリアを撮像する広角レンズと、前記広角レンズを支持するレンズ鏡枠と、で構成され、前記レンズ鏡枠を玄関子機のケースに支持することを特徴とするテレビドアホンシステムの玄関子機。
　　
（相違点１）
　「広角レンズ」が、本件発明１においては、「複数のレンズから成る広角レンズ群」であるのに対し、甲１発明においては「複数のレンズから成る広角レンズ群」でなく、
　それに伴い、「前記広角レンズを支持するレンズ鏡枠」における「前記広角レンズ」が、本件発明１においては、「前記広角レンズ群」であるのに対し、甲１発明においては「前記広角レンズ群」ではなく、
　さらに、本件発明１においては、
「前記広角レンズ群の最前部に配置されたレンズは、レンズカバーを兼ねて前記ケースのカメラ窓から露出して配置される」のに対し、
　甲１発明においては、
「前記広角レンズ群の最前部に配置されたレンズは、レンズカバーを兼ねて前記ケースのカメラ窓から露出して配置され」てない点
　　
（相違点２）
　「レンズユニット」に関し、
　本件発明１においては、「前記レンズ鏡枠を玄関子機のケースに支持するためのレンズホルダとで構成され」ているのに対し、甲１発明においては、「前記レンズ鏡枠を玄関子機のケースに支持するためのレンズホルダとで構成され」ておらず、
　また、本件発明１においては、
「前記レンズ鏡枠が前記カメラ窓周囲のケースとの間で弾性部材を介して防水構造を形成するための密着片を備え、
更に前記レンズ鏡枠と前記レンズホルダとは、相互にネジ溝を有して螺合により連結される一方、前記ケースのカメラ窓の裏面には環状突起が形成されて成ると共に、前記密着片は前記レンズ鏡枠の露出する先端の外径より大きい円盤状の板体であって、周囲側部に周期的な凹凸を有し、前記弾性部材が前記密着片の前面に配置されて、前記環状突起が前記弾性部材に密着して前記防水構造が形成される」
のに対し、甲１発明においては、
「前記レンズ鏡枠が前記カメラ窓周囲のケースとの間で弾性部材を介して防水構造を形成するための密着片を備え、
更に前記レンズ鏡枠と前記レンズホルダとは、相互にネジ溝を有して螺合により連結される一方、前記ケースのカメラ窓の裏面には環状突起が形成されて成ると共に、前記密着片は前記レンズ鏡枠の露出する先端の外径より大きい円盤状の板体であって、周囲側部に周期的な凹凸を有し、前記弾性部材が前記密着片の前面に配置されて、前記環状突起が前記弾性部材に密着して前記防水構造が形成される」
ものではない点
　　
イ　判断
　甲２発明は、上記（３）イのとおり、
「複数のレンズからなる広角レンズ群と複数のレンズを支持する略円筒形状の支持部材とからなるレンズユニットと、
　撮像素子が実装された基板が固定された固定部材と、
　前ケース体と後ケース体からなる外枠部材とを備え、
　固定部材は外枠部材に支持され、
　支持部材と固定部材とが調整可能に螺合し、
　前ケース体の前方開口部から第一レンズが露出するようにレンズユニットを配設し、
　前ケース体の内周面と支持部材の外周面との間にはゴムパッキンが備えられ、
　ゴムパッキンが設けられている支持部材の部分は、円盤状の鍔部分であり、該鍔部分は支持部材４の先端の外形より大きい
　監視カメラ用撮像ユニット」
であり、監視カメラ用撮像ユニットの発明であって、広角レンズの特定の構成と、該広角レンズをケースに保持する特定の構成を開示するものであるから、同様の技術分野の発明である甲１発明の広角レンズと、該広角レンズをケースに保持する構成に適用することは、当業者が容易に着想することである。
　したがって、甲１発明に甲２発明の広角レンズの構成を適用することにより、甲１発明のレンズは、複数のレンズから成る広角レンズ群となり、広角レンズ群の最前部に配置されたレンズは、「レンズカバーを兼ねて前記ケースのカメラ窓から露出して配置され」ることになる（相違点１）。
　そして、甲１発明に甲２発明の広角レンズをケースに支持する構成を適用することにより、甲１発明の「前記レンズ鏡枠を玄関子機のケースに支持する」構成は、甲２発明の広角レンズをケースに支持する構成となり、本件発明１のレンズ鏡枠に相当する「支持部材」と螺合する「固定部材」は、本件発明１の「レンズホルダ」といえることとなり、さらに、「支持部材と固定部材とが調整可能に螺合すること」は「前記レンズ鏡枠と前記レンズホルダとは、相互にネジ溝を有して螺合により連結される」（構成要件Ｅ）といえることとなり、また、本件発明１の弾性部材に相当する「ゴムパッキン」が備えられている「支持部材」の鍔部分は、「前記レンズ鏡枠が前記カメラ窓周囲のケースとの間で弾性部材を介して防水構造を形成するための密着片」（構成要件Ｄ）といえることになる。
　なお、支持部材を固定部材に螺合する際、甲第３号証に記載の慣用技術により鍔部にローレットを設けて螺合を容易ならしめることは当業者が行い得る設計事項である。また、ローレットの形状を甲第６号証に記載のような周知の「周期的な凹凸」形状とすることは選択事項にすぎない。
　　
　しかしながら、本件発明１の「前記ケースのカメラ窓の裏面には環状突起が形成されて成る」構成（構成要件Ｆ）及び「前記弾性部材が前記密着片の前面に配置されて、前記環状突起が前記弾性部材に密着して前記防水構造が形成される」構成（構成要件Ｇ）は、甲２発明、甲第３号証〜甲第１３号証に開示されておらず、当該構成が、自明な事項であるとは認められない（相違点２）。
　したがって、本件発明１は、甲１発明、甲２発明、甲第３号証〜甲第１３号証に記載された技術から、当業者が容易になし得るものではない。
　　
（５）特許異議申立理由について
　特許異議申立理由は、本件発明１が、甲第１号証記載の発明、甲第２号証記載事項及び甲第３号証記載事項並びに周知技術（甲第４号証乃至甲第１３号証）から容易想到であるというものであるが、容易想到でない理由は、上記（４）のとおりである。
　　
４　むすび
　以上のとおりであるから、取消理由通知に記載した取消理由及び特許異議申立書に記載した特許異議申立理由によっては、本件請求項１に係る特許を取り消すことはできない。
　また、他に本件請求項１に係る特許を取り消すべき理由を発見しない。
　さらに、請求項２に係る特許は、訂正により、削除されたため、本件特許の請求項２に対して、特許異議申立人がした特許異議申立てについては、対象となる請求項が存在しない。
　よって、結論のとおり決定する。
【異議決定日】
平成２９年３月１５日（２０１７．３．１５）
【訂正の要旨】
審決（決定）の【理由】欄参照。
（５４）【発明の名称】
テレビドアホンシステムの玄関子機
　【技術分野】
　【０００１】
　本発明は、インターホンシステムの玄関子機に関し、詳しくは玄関子機にカメラを設けて玄関の状況を居室親機のモニタで確認できるテレビドアホンシステムの玄関子機に関する。
　【背景技術】
　【０００２】
　防犯ニーズの高まりから、来訪者の呼出時において来訪者を玄関子機のカメラで撮像し、その映像を居室親機のモニタで表示させ、居住者がモニタを見て来訪者を判別した後に応答する機能や、留守中に訪れた来訪者を録画して帰宅後にモニタにて確認する機能を備えたテレビドアホンシステムが普及している。
　また、近年ではカメラの死角をなくすため、画角１８０度以上の広角レンズを備えたカメラで撮像し、見たい場所を電子ズームしたり、パン／チルトして確認できるテレビドアホンシステムも登場している（例えば、特許文献１参照）。
　【０００３】
　図５は広角レンズを備えた従来の玄関子機の横断面説明図を示し、カメラ部の断面を示している。図５において、３１はカメラ３０のレンズ、３２はレンズを保護するレンズカバー、３３は玄関子機のケースである。この図５に示すように、レンズ３１はケース３３前面から突出し、レンズカバー３２はその前方に円弧状に突出して形成されている。
　【先行技術文献】
　【特許文献】
　【０００４】
　【特許文献１】特開２０１０−９３６４８号公報
　【発明の概要】
　【発明が解決しようとする課題】
　【０００５】
　画角１８０度以上のこの種のカメラは、玄関子機ケース３３の映り込みを防ぐために、玄関子機ケース３３の表面位置よりレンズ天頂を突出させる必要がある。そのため、図５に示すようにレンズカバー３２が前方に大きく突出した形状となり傷つき易く、カメラ３０の解像度を低下させるなど映像品位を劣化させる要因となっていた。
　また、玄関子機のように太陽光線があたり易い場所に設置されるカメラ３０は、レンズカバー３２の界面で発生する太陽光の反射が、有害なゴーストやフレアの原因になり、更に映像品位を劣化させていた。
　【０００６】
　そこで、本発明はこのような問題点に鑑み、太陽光が直接あたっても、有害なフレアやゴーストを低減でき、居室親機のモニタから表示されるカメラ撮像映像の視認性を確保できるテレビドアホンシステムの玄関子機を提供することを目的としている。
　【課題を解決するための手段】
　【０００７】
　上記課題を解決する為に、請求項１の発明は、居住者を呼び出すための呼出ボタンと、来訪者を撮像するカメラとを有し、呼出操作を受けたら住戸内に設置されている居室親機に対して呼出信号を伝送すると共に、カメラの撮像映像を伝送するテレビドアホンシステムの玄関子機であって、カメラのレンズユニットは、画角１８０度以上の広角なエリアを撮像する複数のレンズから成る広角レンズ群と、広角レンズ群を支持するレンズ鏡枠と、レンズ鏡枠を玄関子機のケースに支持するためのレンズホルダとで構成され、広角レンズ群の最前部に配置されたレンズは、レンズカバーを兼ねてケースのカメラ窓から露出して配置されると共に、レンズ鏡枠がカメラ窓周囲のケースとの間で弾性部材を介して防水構造を形成するための密着片を備え、更にレンズ鏡枠とレンズホルダとは、相互にネジ溝を有して螺合により連結される一方、
ケースのカメラ窓の裏面には環状突起が形成されて成ると共に、
レンズ鏡枠の露出する先端の外径より大きい
の板体であって、
し、弾性部材が密着片の前面に配置されて、環状突起が弾性部材に密着して防水構造が形成される
　この構成によれば、カメラレンズはケースから露出した状態で固定されるため、周囲の光は直接レンズに入射し、側方からの光であってもフレアやゴーストが発生することがなく、カメラ側方の映像であっても明瞭な映像を出力できる。また、カメラ窓は弾性部材と密着片により封止でき、レンズカバーが無くても雨水等の浸入の恐れがない。
　更に、レンズ鏡枠とレンズホルダとの螺合状態を回転して変更することでレンズの軸方向の長さを変更でき、フォーカス調整ができる。そしてこの回転操作は密着片の外周に形成した周期的な凹凸を利用してスムーズに実施できる。
　【０００８】
　尚、レンズユニットの最前部に配置されるレンズは、ガラスレンズであれば十分な強度を有するためカバーが無くても傷は付き難いし、プラスチックレンズであっても近年の表面加工技術の向上により十分な強度を得ることができ、カバーが無くても傷がつき難く、そのようなレンズを使用することでカバーを無くすことが可能である。
　【０００９】
　【００１０】　（削除）
　【発明の効果】
　【００１１】
　本発明によれば、カメラレンズはケースから露出した状態で固定されるため、周囲の光は直接レンズに入射し、側方からの光であってもフレアやゴーストが発生することがなく明瞭な映像で撮像できる。また、カメラ窓は弾性部材と密着片により封止でき、レンズカバーが無くても、雨水等の浸入の恐れがない。
　【図面の簡単な説明】
　【００１２】
　【図１】本発明に係る玄関子機の一例を示す正面図である。
　【図２】Ａ−Ａ線断面説明図である。
　【図３】Ｂ部拡大図である。
　【図４】レンズを収容したレンズ鏡枠を示し、（ａ）は平面図、（ｂ）は側面図である。
　【図５】従来の玄関子機の断面説明図である。
　【発明を実施するための形態】
　【００１３】
　以下、本発明を具体化した実施の形態を、図面を参照して詳細に説明する。図１は本発明に係るテレビドアホンシステムの玄関子機の一例を示す正面図であり、玄関子機１は居住者を呼び出すための呼出ボタン２、来訪者を撮像するためのカメラ３を備え、通話するためのマイク４及びスピーカ５がケース６の内部に設けられている。
　テレビドアホンシステムは、玄関等の戸外に設置したこの玄関子機１と、住戸内に設置されて呼び出しに対して応答するため居室親機（図示せず）とで構成される。
　【００１４】
　図２は図１のＡ−Ａ線断面説明図、図３はＢ部の拡大図を示し、カメラ３の断面を示している。カメラ３は、レンズユニット１０と撮像素子１１、そして図示しないメモリやＤＳＰ等で構成され、レンズユニット１０は、複数のレンズで構成されるレンズ群１２、このレンズ群１２を収容して支持するレンズ鏡枠１３、レンズ鏡枠１３を固定するレンズホルダ１４により構成されている。
　【００１５】
　レンズ群１２は、画角１８０度以上の広角レンズ群であり、カメラ３は１８０度以上の範囲を撮像する広角カメラとなっている。そして、撮像素子１１からの出力信号をメモリに保存するとともに、ＤＳＰにて歪み補正して所望の画像が居室親機に送出される。
　レンズホルダ１４はネジ止め孔１４ａを有し、ネジ１５により基板１６に固定される。
　【００１６】
　レンズ鏡枠１３は、円筒状に形成されたレンズ収納部１３ａを有し、その先端部近傍の周囲にはケース６に形成したカメラ窓１７の隙間を気密封止して雨水の浸入を防止するための密着片１３ｂがフランジ状に周設されている。密着片１３ｂは板状に形成され、この前面にリング状の弾性部材１８を配置してケース６の背部に密着させることで、開口されたカメラ窓１７が気密封止される。尚、ケース６のカメラ窓１７の裏面には、後方に突出した環状突起１９が形成され、弾性部材１８の密着を確実なものにしている。
　【００１７】
　図４はレンズ群１２を収容したレンズ鏡枠１３を示し、（ａ）は平面図、（ｂ）は側面図を示している。図４に示すように、密着片１３ｂの径Ｗ２はレンズ鏡枠１３のケース６から露出する先端径Ｗ１に対して大きな径で形成され、更に密着片１３ｂの周囲側部には周期的な切り欠き１３ｃが形成されている。具体的に、レンズ鏡枠１３の先端径Ｗ１＝１６ｍｍφ、密着片１３ｂの径Ｗ２＝２３ｍｍφで形成され、切り欠き１３ｃは４５°の等間隔で形成されている。
　【００１８】
　また、レンズ鏡枠１３の撮像素子１１側である密着片１３ｂの下部は、ネジ溝が設けられて雄ねじ部１３ｄを形成している。一方、この雄ねじ部１３ｄに対向するレンズホルダ１４には、雌ねじが形成（図示せず）され、レンズホルダ１４とレンズ鏡枠１３とは螺合して連結されている。こうして、レンズホルダ１４がレンズ鏡枠１３を螺合により保持することで、フォーカス調整を可能としている。
　【００１９】
　このように、レンズ鏡枠１３の先端径Ｗ１に対して密着片１３ｂの径Ｗ２を大きくすることで、ケース６との間で十分な密着エリアを確保すると共に、レンズ鏡枠１３の回転操作をし易くしている。特に、密着片１３ｂの外周に４５°ごとに切り欠き１３ｃを設けたことで、回転工具を係合させ易く、フォーカス調整がし易いし自動化調整機能にも拡張し易い。
　尚、レンズ鏡枠１３の径Ｗ１と密着片１３ｂの径Ｗ２の関係は、Ｗ２がＷ１より大きければカメラ窓１７の隙間を気密封止することは可能であるが、密着片１３ｂの径Ｗ２が２０ｍｍφ以上であれば、回転操作し易いし弾性部材１８の密着も良好となり、利便性が良い。
　【００２０】
　そして、玄関子機１のケース６は、図２に示すように玄関子機１の前面側を形成する上ケース６ａと壁側となる背部を形成する下ケース６ｂとで構成され、カメラ３が固定された基板１６は、上ケース６ａに組み付けられると、レンズ群１２のうち最前部のレンズ１２ａ（図３に示す）は上ケース６ａのカメラ窓１７から露出し、更に下ケース６ｂを組み付けることで、密着片１３ｂと上ケース６ａとで弾性部材１８が圧縮され、カメラ窓１７の気密性が維持される。
　尚、最前部のレンズ１２ａは表面加工により高い表面強度を備えたプラスチックレンズが使用されている。また７は基台であり、ケース６を露出させて壁面に設置する場合等に使用される。
　【００２１】
　このように、カメラ３のレンズ群１２の最前部のレンズ１２ａは、ケース６から露出した状態で固定されるため、周囲の光は直接レンズに入射し、側方からの光であってもフレアやゴーストが発生することがなく、カメラ３の側方の映像であっても明瞭な映像を出力でき、居室親機のモニタの視認性を向上することができる。
　また、カメラ窓１７は弾性部材１８と密着片１３ｂにより封止でき、レンズカバーが無くても雨水等の浸入の恐れがないし、レンズ鏡枠１３とレンズホルダ１４との螺合状態を回転してレンズ群１２の軸方向の長さを変更できるので、フォーカス調整ができる。
　更に、この回転操作は密着片１３ｂの外周に形成した周期的な凹凸を利用してスムーズに実施できるし、密着片１３ｂは大きな径を有するため、回転操作し易いし密着面が広く十分な密着エリアを確保できる。
　【００２２】
　尚、上記実施形態では、密着片１３ｂを平坦な面で形成したが、弾性部材１８の密着面にケース６に設けた環状突起１９に合わせてレンズの光軸を中心にリング状に凹凸を設けて弾性部材１８の密着性を更に上げても良い。また、密着片１３ｂは円盤状に形成したが、四角形であっても良いし多角形としても良い。
　【符号の説明】
　【００２３】
　１・・玄関子機、２・・呼出ボタン、３・・カメラ、６・・ケース、１０・・レンズユニット、１２・・レンズ群（広角レンズ群）、１２ａ・・最前部のレンズ、１３・・レンズ鏡枠、１３ｂ・・密着片、１３ｃ・・切り欠き、１４・・レンズホルダ、１７・・カメラ窓、１８・・弾性部材。
（５７）【特許請求の範囲】
　【請求項１】
　居住者を呼び出すための呼出ボタンと、来訪者を撮像するカメラとを有し、呼出操作を受けたら住戸内に設置されている居室親機に対して呼出信号を伝送すると共に、前記カメラの撮像映像を伝送するテレビドアホンシステムの玄関子機であって、
前記カメラのレンズユニットは、画角１８０度以上の広角なエリアを撮像する複数のレンズから成る広角レンズ群と、前記広角レンズ群を支持するレンズ鏡枠と、前記レンズ鏡枠を玄関子機のケースに支持するためのレンズホルダとで構成され、
前記広角レンズ群の最前部に配置されたレンズは、レンズカバーを兼ねて前記ケースのカメラ窓から露出して配置されると共に、前記レンズ鏡枠が前記カメラ窓周囲のケースとの間で弾性部材を介して防水構造を形成するための密着片を備え、
更に前記レンズ鏡枠と前記レンズホルダとは、相互にネジ溝を有して螺合により連結される一方、
前記ケースのカメラ窓の裏面には環状突起が形成されて成ると共に、
前記レンズ鏡枠の露出する先端の外径より大きい
の板体であって、
し、
前記弾性部材が前記密着片の前面に配置されて、前記環状突起が前記弾性部材に密着して前記防水構造が形成される
　【請求項２】（削除）